(57)【要約】【課題】縦長、または横長のデザインを実現することができる時計のムーブメント保持構造及び時計を提供する。【解決手段】時計のムーブメント保持構造は、ムーブメント６０の６時方向の端部を保持する第１の中枠９０と、ムーブメント６０の１２時方向の端部を保持する第２の中枠９５と、を備え、第１の中枠９０と第２の中枠９５との３時―９時方向の幅が、ムーブメント６０の３時―９時方向の幅と概ね同じに設定され、これら中枠９０，９５がムーブメント６０の３時―９時方向の略幅内に各々配置されると共に、胴５０の胴内形部５１Ａ〜５１Ｄと第１の中枠９０と第２の中枠９５との間においてムーブメント６０の平面方向の保持を行い、胴５０と裏蓋７０との間において、裏蓋７０に設けられる裏蓋固定部７１または内側主面７２によって、第１の中枠９０と第２の中枠９５をムーブメント６０の断面方向に押圧することによって、ムーブメント６０の断面方向を保持する。【選択図】図４
2006234792.tif 000002
【特許請求の範囲】
【請求項１】
時計ケースの胴と裏蓋との間において、中枠を用いてムーブメントを保持する時計のムーブメント保持構造であって、
前記ムーブメントの第１方向の端部を保持する第１の中枠と、
前記ムーブメントの前記第１方向と反対方向の端部を保持する第２の中枠と、を備え、
前記第１の中枠と前記第２の中枠とが、前記ムーブメントの前記第１方向の端部外側、かつ、前記ムーブメントの前記第２方向の略幅内に各々配置されて前記ムーブメントを保持することを特徴とする時計のムーブメント保持構造。
【請求項２】
請求項１に記載の時計のムーブメント保持構造において、
前記第１の中枠と前記第２の中枠との前記第１方向と直交する第２方向のそれぞれの幅が、前記ムーブメントの前記第２方向の幅と概ね同じに設定されており、
前記胴の胴内形部と、前記第１の中枠と前記第２の中枠との間において前記ムーブメントの平面方向の保持を行い、
前記胴と前記裏蓋との間において、前記裏蓋に設けられる裏蓋固定部または内側主面によって、前記第１の中枠と前記第２の中枠を前記ムーブメントの断面方向に押圧することによって、前記ムーブメントの断面方向を保持することを特徴とする時計のムーブメント保持構造。
【請求項３】
請求項１に記載の時計のムーブメント保持構造において、
前記ムーブメントの第１方向及び前記第１方向と反対方向の端部の平面、または端面のいずれかに形成される回転止め部と、
前記ムーブメントに形成される回転止め部に対応する前記第１の中枠と前記第２の中枠のいずれかに形成される回転止め部と、が設けられ、
前記ムーブメントの平面方向の回転が規制されていることを特徴とする時計のムーブメント保持構造。
【請求項４】
請求項１に記載の時計のムーブメント保持構造において、
前記第１の中枠と前記第２の中枠とは、前記ムーブメントの前記第２方向の幅内における外側面に当接して当該中枠に対する前記ムーブメントの前記第１方向及び第２方向の少なくともいずれかへの移動を規制するムーブメント移動規制部を有することを特徴とする時計のムーブメント保持構造。
【請求項５】
請求項４に記載の時計のムーブメント保持構造において、
前記第１の中枠と前記第２の中枠とは、前記規制部の近傍に設けられて前記胴の胴内形部に当接する突出部を有し、この突出部が前記胴内形部の壁面に当接して、前記胴に対する当該中枠の移動を規制することを特徴とする時計のムーブメント保持構造。
【請求項６】
請求項１に記載の時計のムーブメント保持構造において、
前記裏蓋の裏蓋固定部の一部が削除されることによって、
前記裏蓋固定部の前記第２方向の幅が、前記ムーブメントの前記第２方向の幅と概ね同じに設定されていることを特徴とする時計のムーブメント保持構造。
【請求項７】
請求項１ないし請求項６のいずれか一項に記載の時計のムーブメント保持構造において、
前記第１の中枠と前記第２の中枠の前記第２方向の幅と、前記裏蓋固定部の前記第２方向の幅とが、前記ムーブメントの前記第２方向の幅と概ね同じに設定されていることを特徴とする時計のムーブメント保持構造。
【請求項８】
請求項１ないし請求項７のいずれか一項に記載の時計のムーブメント保持構造を備えていることを特徴とする時計。
【発明の詳細な説明】
【技術分野】
【０００１】
本発明は、時計のムーブメント保持構造に関し、詳しくは、時計の３時−９時方向あるいは１２時−６時方向の幅が細いデザインを可能にする時計のムーブメント保持構造および時計に関する。
【背景技術】
【０００２】
従来、合成樹脂からなる中枠によって、時計ケースにムーブメントを固定する構造において、この中枠はムーブメントの平面方向端部の全周にわたって一体で形成され、全周にわたって鍔状に延びる鍔部とその外周部が形成され、ムーブメントを上下方向に保持するためのムーブメント係合部と下方に延びるばね部とがさらに形成され、ばね部には、中枠の外力による緩衝緩和の働きをする空間部が設けられ、このばね部の弾性力でムーブメントを保持する時計のムーブメント保持構造というものが知られている（例えば、特許文献１参照）。
【特許文献１】実開平６−８６０９４号公報（第５頁、図１、図６）
【発明の開示】
【発明が解決しようとする課題】
【０００３】
このような特許文献１では、ムーブメントを保持するために設けられる中枠が、ムーブメントの全周にわたって形成されているので、小型のケース外形を実現するためには、中枠の鍔部が占める分だけケースが大きくなってしまう。特に、６時−１２時方向の長さに比べ、３時−９時方向の幅が小さい縦長のデザインを実現することは不可能であるというような課題がある。
【０００４】
また、ケースにムーブメントを格納し、中枠に弾性力を付勢する裏蓋においても、裏蓋の内側主面から突設されている裏蓋固定部も、中枠の全周外側に、やはり全周にわたって形成されていることが一般的であり、この裏蓋固定部があるために、前述のような縦長のデザインの時計の実現は困難であると考えられる。
【０００５】
本発明の目的は、前述の課題を解決し、３時−９時方向の幅が小さい縦長のデザイン、もしくは１２時−６時方向の幅が小さい横長のデザインを実現することができる時計のムーブメント保持構造および時計を提供することである。
【課題を解決するための手段】
【０００６】
本発明の時計のムーブメント保持構造は、時計ケースの胴と裏蓋との間において、中枠を用いてムーブメントを保持する時計のムーブメント保持構造であって、前記ムーブメントの第１方向の端部を保持する第１の中枠と、前記ムーブメントの前記第１方向と反対方向の端部を保持する第２の中枠と、を備え、前記第１の中枠と前記第２の中枠とが、前記ムーブメントの前記第１方向の端部外側、かつ、前記ムーブメントの前記第２方向の略幅内に各々配置されて前記ムーブメントを保持することを特徴とする。
【０００７】
ここで、例えば、第１方向としては、時計の６時−１２時方向を表し、第２方向としては、３時−９時方向を表す。この発明によれば、ムーブメントを保持するための中枠を、第１の中枠と第２の中枠に分離し、これら第１の中枠と第２の中枠とをムーブメントの幅（３時−９時方向、または１２時−６時方向の幅）内に配置するので、ムーブメントの３時−９時方向両側、または１２時−６時方向両側において、第１の中枠と第２の中枠を連続する連結部が存在しない。このため、時計の３時−９時方向、または１２時−６時方向の幅を小さくすることができ、縦長または横長のすっきりしたデザインの時計を提供することができる。
【０００８】
また、本発明の構造では、前記第１の中枠と前記第２の中枠との前記第１方向と直交する第２方向のそれぞれの幅が、前記ムーブメントの前記第２方向の幅と概ね同じに設定されており、前記胴の胴内形部と、前記第１の中枠と前記第２の中枠との間において前記ムーブメントの平面方向の保持を行い、前記胴と前記裏蓋との間において、前記裏蓋に設けられる裏蓋固定部または内側主面によって、前記第１の中枠と前記第２の中枠を前記ムーブメントの断面方向に押圧することによって、前記ムーブメントの断面方向を保持することが好ましい。
【０００９】
この構成によれば、第１の中枠と第２の中枠は、それぞれがムーブメントの平面方向及び断面方向を保持しているために、第１の中枠と第２の中枠に分離する構造であっても、ムーブメントの保持を確実に行うことができ、時計外部からの衝撃力に対して確実にムーブメントを保護することができる。
【００１０】
また、本発明の構造では、前記ムーブメントの第１方向及び前記第１方向と反対方向の端部の平面、または端面のいずれかに形成される回転止め部と、前記ムーブメントに形成される回転止め部に対応する前記第１の中枠と前記第２の中枠のいずれかに形成される回転止め部と、が設けられ、前記ムーブメントの平面方向の回転が規制されていることが好ましい。
ここで、回転止め部としては、例えば、ムーブメント側に凹部、第１、第２の中枠には凸部を設けることができる。
【００１１】
前述したように、第１の中枠と第２の中枠とに分離された構造であっても、ムーブメントの回転止め部を設けているために、３時−９時方向の幅が６時−１２時方向の長さよりも小さい縦長の小型ムーブメントにおいても、６時−１２時方向の幅が３時−９時方向の長さよりも小さい横長の小型ムーブメント、または円形の小型ムーブメントにおいても、ムーブメントが平面方向に回転することを防止し、３時−９時方向、あるいは１２時−６時方向の幅が狭いデザインを実現すると共に、確実にムーブメントの保持を行うことができる。
【００１２】
また、本発明の構造では、前記第１の中枠と前記第２の中枠とは、前記ムーブメントの前記第２方向の幅内における外側面に当接して当該中枠に対する前記ムーブメントの前記第１方向及び第２方向の少なくともいずれかへの移動を規制するムーブメント移動規制部を有することが好ましい。この構成によれば、上記ムーブメント移動規制部により、第１の中枠と第２の中枠に対するムーブメントのがたつきを確実に抑えることができる。
【００１３】
この場合、前記第１の中枠と前記第２の中枠とは、前記規制部の近傍に設けられて前記胴の胴内形部に当接する突出部を有し、この突出部が前記胴内形部の壁面に当接して、前記胴に対する当該中枠の移動を規制するようにすることが好ましい。この構成によれば、上記突出部によりムーブメント近傍で第１の中枠および第２の中枠の胴に対する移動を規制するので、各中枠のがたつきを確実に抑えて、ムーブメントのがたつきをより確実に抑えることができる。
【００１４】
また、本発明の構造では、前記裏蓋の裏蓋固定部の一部が削除されることによって、前記裏蓋固定部の前記第２方向の幅が、前記ムーブメントの前記第２方向の幅と概ね同じに設定されていることが好ましい。
【００１５】
このような構造によれば、裏蓋固定部を、時計の第１方向のみに形成し、第２方向側は削除しているために、ムーブメントの全周にわたって裏蓋固定部が形成される前述の従来技術に比べ、時計の第１方向の幅を細くすることができる。
【００１６】
さらに、前記第１の中枠と前記第２の中枠の前記第２方向の幅と、前記裏蓋固定部の前記第２方向の幅とが、前記ムーブメントの前記第２方向の幅と概ね同じに設定されていることが望ましい。
【００１７】
このようにすれば、第１の中枠と第２の中枠と裏蓋に形成される裏蓋固定部とを、ムーブメントの第２方向の幅とが概ね同じに設定されているために、第２方向の幅が狭い縦長のすっきりしたデザインの時計を提供することができる。
【００１８】
さらに、本発明の時計は、前述した時計のムーブメント保持構造を備えていることを特徴とする。この発明によれば、縦長、または横長のすっきりしたデザインの時計を提供することができる。
【発明を実施するための最良の形態】
【００１９】
以下、本発明の実施の形態を図面に基づいて説明する。
図１は、本発明に係る時計の外観を示す斜視図、図２〜図７は本発明に係る実施形態１の時計のムーブメント保持構造が示され、図８には実施形態２、図９には実施形態３に係るムーブメント保持構造が示されている。
（実施形態１）
【００２０】
図１において、本発明の時計１０は、ケース内に時刻表示部とムーブメントとを格納する時計体２０と、時計体２０を腕に装着するバンド３０とから構成されている。また、時刻を修正するためのりゅうず４０をさらに備えている。
【００２１】
この時計１０は、第１方向としての１２時−６時方向の長さに比べ、第２方向としての３時−９時方向の幅が小さい縦長のデザインを例示しており、例えば、婦人用の小型時計として人気があるデザインとして定着している。
【００２２】
続いて、図２〜図４を参照して、本発明に係る縦長のデザインの時計を実現する構造について説明する。
図２は時計体２０の分解斜視図を示している。この時計体２０は、時計ケースを構成する胴５０を有し、この胴５０には、上下に貫通する略矩形形状の開口部が設けられている。この胴５０の開口部５０Ａには、文字板２４及びムーブメント６０が積層配置されると共にムーブメント６０の周囲に第１の中枠９０及び第２の中枠９５とが配置され、裏側が裏蓋７０で閉じられ、表側が風防ガラス２７で閉じられている。また、上記ムーブメント６０は、内部の駆動機構により回転駆動される筒車４１及び二番車４２を有し、各車４１，４２は、文字板２４の中央穴２４Ａを貫通して文字板２４の上方に延出し、筒車４１には時針２５が取り付けられ、二番車４２には分針２６が取り付けられ、これら時刻表示針２５，２６によって時刻が表示される。また、りゅうず４０は、胴５０に形成された貫通孔５０Ｂに挿通されてムーブメント６０の巻真（図示略）に連結される。
なお、本実施形態では、時針２５と分針２６を有する時計１０について例示するが、さらに、秒針や２４時針等の他の表示針や暦表示や月齢表示等を行う時計に広く適用が可能である。
【００２３】
図３はムーブメント６０、第１の中枠９０、第２の中枠９５および裏蓋７０の拡大斜視図であり、図４は時計体２０を時刻表示部方向から視認した状態を示し、図５（ａ）は時計体２０の６時−１２時方向の断面図を示している。なお、図４では、説明を分かりやすくするために、風防ガラス２７、時針２５、分針２６、文字板２４を除いた状態を示している。
【００２４】
図４に示すように、胴５０は、１２時−６時方向の長さが、３時−９時方向の幅よりも長い縦長の形状を備え、内側には、図５（ａ）に示すように、文字板２４の時刻表示面を規制する見返し面５４と、文字板２４を保持するための文字板受部５５と、ムーブメント６０の平面方向の移動を規制する胴内形部５１Ａ〜５１Ｄが形成されている。
【００２５】
胴内形部５１Ａは、図４に示すように、３時方向、５１Ｂは９時方向、５１Ｃは６時方向、５１Ｄは１２時方向の位置を規制するために設けられ、胴内形部５１Ａ〜５１Ｄによって略長方形の空間（開口部５０Ａ）が形成され、この空間に縦長のムーブメント６０が格納されている。
【００２６】
胴内形部５１Ｃには、裏蓋７０を胴５０に固定するための裏蓋固定用溝５２Ａ，５２Ｂの２箇所の凹部が穿設されており、胴内形部５１Ｃに対向している胴内形部５１Ｄには、裏蓋固定用溝５２Ａと５２Ｂとに対向する位置に裏蓋固定用溝５２Ｃと５２Ｄの２箇所の凹部が穿設されている。
【００２７】
ムーブメント６０は、図４に示すように、略中心から６時方向および１２時方向に行くに従って徐々に幅狭となる縦長の略楕円形状を有し、このムーブメント６０の６時側に第１の中枠９０が配置され、ムーブメント６０の１２時側に第２の中枠９５が配置され、これら中枠９０，９５は、ムーブメント６０の両側（６時側と１２時側）を抱え込むように略凹型形状（コの字形状）に形成されている。
ここで、以降の説明では、第１の中枠９０と第２の中枠９５とは、３時−９時を結んだ直線に対して略線対称形をしているので、６時側の第１の中枠９０について詳しく説明し、第２の中枠９５の説明は省略する。図３および図４に示すように、第１の中枠９０は、ムーブメント６０の６時方向の端面（外側面）に接するムーブメント案内部（ムーブメント移動規制部）９１と、胴５０側の外形部９２とで囲まれた略馬蹄形状（凹型形状）をしており、弾性を有する合成樹脂を射出成形することにより形成されている。
【００２８】
より具体的には、ムーブメント案内部９１は、ムーブメント６０の６時位置を挟んで略４時位置から略８時位置の範囲でムーブメント６０の端面（外側面）に当接しており、言い換えると、ムーブメント６０の幅（最大幅）ＬＭ内における６時側の端面全体に当接し、これによって、ムーブメント案内部９１の両端部９１Ｌ、９１Ｒによってムーブメント６０が略３時−９時方向で挟み込まれ、第１の中枠９０に対するムーブメント６０の３時−９時方向および６時方向への移動（いわゆる、がたつき）が規制される。
また、ムーブメント案内部９１には、ムーブメント６０の６時方向の端部に設けられた段状のムーブメント固定部６１Ａ（図５参照）に当接するムーブメント回転止め部９１Ａが形成されている。この段状のムーブメント固定部６１Ａは、ムーブメント６０の６時方向端部に３時−９時を結んだ直線に平行な直線で形成される。このように、直線のムーブメント固定部６１Ａに、ムーブメント案内部９１にムーブメント回転止め部９１Ａが当接することにより、第１の中枠９０に対するムーブメント６０の６時方向への移動がより規制されると共に、第１の中枠９０に対するムーブメント６０の回転が規制される。
【００２９】
このムーブメント固定部６１Ａから外周に向かって形成される平面がムーブメント固定面６３である（図３、図４参照）。ムーブメント６０の１２時方向の端部にも、同様なムーブメント固定部とムーブメント固定面６３が形成されている（図４中、ハッチングで表す）。
【００３０】
また、第１の中枠９０の周縁に鍔状に張り出された外形部９２には、６時側の外周側に突出された固定凸部９２Ｃと固定凸部９２Ｄ、９時側に突出された固定凸部９２Ａと３時側に突出された固定凸部９２Ｂが形成されている。ここで、これら固定凸部（突出部）９２Ａ，９２Ｂは、第１の中枠９０の９時方向及び３時方向で薄肉の部分に設けられ、固定凸部（突出部）９２Ｃ，９２Ｄは、第１の中枠９０の６時方向で薄肉の部分に間隔を空けて設けられ、これによって、第１の中枠９０のムーブメント案内部９１の背面側であって、かつ、ムーブメント案内部９１の近傍位置に設けられている。これらの固定凸部９２Ａ〜９２Ｄに相当する固定凸部は、第２の中枠９５にも形成されている。
【００３１】
これらの固定凸部９２Ａ〜９２Ｄは、第１の中枠９０及び第２の中枠９５の間にムーブメント６０を挟みこむように組み込んだ際に、胴５０の胴内形部５１Ａ〜５１Ｄとの間において締め代を有するように寸法設定されており、ムーブメント６０が平面方向に移動しないように保持する機能を有している。
【００３２】
さらに、本実施形態では、図４に示すように、第２の中枠９５には、溝形状のムーブメント回転止め部９５Ａが形成されている。ムーブメント６０にも、ムーブメント回転止め部９５Ａに対応した位置、形状でムーブメント回転止め部が形成されており、ムーブメント６０の回転防止をより確実にしている。
なお、このムーブメント回転止め部９５Ａは、第１の中枠９０に設けることもでき、両方に設けることもできる。また、第１の中枠９０と第２の中枠９５とを非対称形状にした場合、第１の中枠９０と第２の中枠９５とを異なる色の部品とすることにより中枠９０，９５の組み込み間違いを防止することができ、組み込み作業を容易にすることができる。
【００３３】
また、ムーブメント回転止め部９５Ａは、ムーブメント６０の裏蓋側表面に回転止めが可能な凹部を設け、その形状に対応してムーブメント表面に載るような形状としてもよく、さらには、ムーブメント端面に切り欠き状の凹部を設け、その凹部に対応した形状とすることもできる。
【００３４】
また、第１の中枠９０には、ムーブメント案内部９１に沿って２箇所の断面方向に裏蓋７０側に突出したムーブメント固定部９３，９４が設けられている。図５（ａ）（ｂ）に示すように、これらムーブメント固定部９３，９４それぞれ中央には、固定用凸部９３Ａ，９４Ａが形成され、この固定用凸部９３Ａ，９４Ａを裏蓋７０の内側主面７２で胴５０の文字板受部５５側にムーブメント６０のムーブメント固定面６３を押圧して、断面方向の位置を規制し、ムーブメント６０が保持されている。
【００３５】
なお、第１の中枠９０及び第２の中枠９５とは、共に、３時−９時方向の幅は、固定凸部９２Ａ，９２Ｂ（第２の中枠９５には符合を付していない）を除いてムーブメント６０の３時−９時方向の幅よりも小さく設定されており、ムーブメント６０の外形よりも突出しない。
【００３６】
裏蓋７０は、外形が３時−９時方向の幅が胴５０の幅よりもやや小さい略長方形をしており、ステンレス鋼等の金属で形成されている。裏蓋７０の６時側及び１２時側には、図３に示すように、断面方向に突出された裏蓋固定部７１が形成され、３時及び９時側には、この裏蓋固定部７１は削除されている。この裏蓋固定部７１には、前述した胴５０に設けられた裏蓋固定用溝５２Ａ〜５２Ｄに対応した位置に裏蓋固定用突起部７１Ａ〜７１Ｄが形成され、裏蓋７０が胴５０に固定されている。
【００３７】
次に、ムーブメント６０の保持構造及び保持方法について図５を参照してなお詳しく説明する。時計体２０は、時計の３時−９時を結んだ直線に対して略対称形であるので、６時側を例示して説明する。
図５（ｂ）は、図４の矢印Ａ方向から視認した第１の中枠９０のムーブメント固定部９４を示す部分断面図である。図５（ａ）、（ｂ）において、ムーブメント６０は、文字板２４を装着した状態で胴５０内に装着される。この状態では、ムーブメント６０は、文字板２４と共に胴５０内で移動可能である。
【００３８】
続いて、第１の中枠９０、第２の中枠９５を装着する。第１の中枠９０のムーブメント案内部９１をムーブメント６０のムーブメント固定部６１Ａに当接するように装着する。このとき、固定凸部９２Ａ〜９２Ｄは、胴５０の胴内形部５１Ｃとの間が締め代関係に設定されているために、つぶされて、ムーブメント６０の平面方向の移動が規制される。
【００３９】
また、第１の中枠９０には、断面方向に突出したムーブメント固定部９３，９４が形成され、さらに、それらの上面（図では下側に表す）に固定用凸部９３Ａ，９４Ａが設けられており、裏蓋７０を胴５０に装着する際に押圧されてムーブメント６０のムーブメント固定面６３を押圧して、胴５０の文字板受部５５との間で文字板２４を介してムーブメント６０が固定される。
【００４０】
裏蓋７０には、裏蓋固定部７１が突出されており、この裏蓋固定部７１には、裏蓋固定用突起部７１Ａ〜７１Ｄが形成されている。これら裏蓋固定用突起部７１Ａ〜７１Ｄは、胴内形部５１Ｃより外側に突出さているため、裏蓋７０を胴５０に装着するときには、裏蓋固定部７１が内側に撓み、裏蓋固定用溝５２Ａ〜５２Ｄに達したときに、裏蓋固定用突起部７１Ａ〜７１Ｄが裏蓋固定用溝５２Ａ〜５２Ｄ内に入り込んで裏蓋７０が胴５０に固定される。
【００４１】
胴５０の外周の裏蓋７０との接合面には、パッキン装着溝５３が、胴５０の全周に渡って設けられており、このパッキン装着溝５３にパッキン８０が装着されている。裏蓋７０の外周には鍔状の裏蓋周縁部７３が設けられており、裏蓋７０を装着する際にパッキン８０を押圧している。このことにより、裏蓋７０は断面方向の移動が規制されると共に、パッキン８０によって時計体２０の防水性が確保される。
なお、パッキン装着溝は、裏蓋７０に設けることができる。パッキン装着溝を裏蓋７０に設けた場合、パッキン装着溝を胴５０に設けなくてよい分だけ胴５０の厚さを薄くすることができ、時計１０を薄型化することが可能になる。
【００４２】
図５（ｂ）を参照して、第１の中枠９０のムーブメント固定部９４の構造についてさらに詳しく説明する。図５（ｂ）において、第１の中枠９０に形成されているムーブメント固定部９４の上面（図では下方）には、固定用凸部９４Ａが形成されており、また、中間には、緩衝孔９４Ｃが開設されている。裏蓋７０を胴５０に装着すると、固定用凸部９４Ａが、裏蓋７０の内側主面７２で押圧され（図中、二点差線で示す位置から実線で示す位置まで移動）、緩衝孔９４Ｃが変形される。この緩衝孔９４Ｃが変形することによって、ムーブメント固定部９４の弾性によってムーブメント６０が固定される。この際、固定用凸部９４Ａが形成される段部９４Ｂは、裏蓋７０には接触しないように設定されている。
【００４３】
ムーブメント固定部９４は、弾性を有する材料からなり、また、段部９４Ｂは梁状に形成されているために、第１の中枠９０は、裏蓋７０の着脱を繰り返してもムーブメント固定という機能を維持することができる。このように、ムーブメント固定を中枠の弾性を用いて固定する中枠をばね中枠と呼称する。
【００４４】
続いて、本実施形態に係る時計体２０の３時−９時方向の構造について図を参照して説明する。
図６は、本実施形態による時計体の３時方向の構造を示す部分断面図である。９時方向についても３時方向と同じ構造であるので説明を省略する。図４，５と同じ符号を付与して説明する。図６において、時計体２０の３時方向には、図４，５に示す１２時−６時方向に備えられている第１の中枠９０、第２の中枠９５はない。また、裏蓋７０に設けられている裏蓋固定用溝５２Ａ〜５２Ｄもない。
【００４５】
従って、時計体の３時方向において、３時側の胴内形部５１Ａ（図４参照）は、ムーブメント６０の端部に接する位置に設けることができる。即ち、時計体２０の３時−９時方向の幅は、ムーブメント６０の３時−９時方向に幅に胴５０の幅を加えた寸法でよい。９時方向についても同じ関係である。
なお、りゅうず４０には、図示しない巻真が固定され時刻修正を行うことができるが、周知の構造であるため説明を省略する。
【００４６】
３時及び９時方向においても、胴５０にはパッキン装着溝５３が１２時−６時方向から連続して形成され、パッキン８０が装着され、裏蓋周縁部７３によって押圧されている。
【００４７】
従って、前述した実施形態１によれば、ムーブメント６０を保持するための中枠を、第１の中枠９０と第２の中枠９５に分離して備え、ムーブメント６０の３時−９時方向両側において、中枠９０，９５がムーブメント６０の幅ＬＭ内に各々配置されるので（図４参照）、ムーブメント６０の３時−９時方向両側に第１の中枠９０と第２の中枠９５を連続する連結部が存在しない。このため、従来のムーブメントの全周にわたって中枠を設けた時計に比して、３時−９時方向の幅を小さくすることができ、縦長のすっきりしたデザインの時計１０を提供することができる。なお、時計１０の幅寸法を所望の値に可能な範囲で、上記中枠９０，９５がムーブメント６０の幅外に位置してもよく、要は中枠９０，９５の配置位置がムーブメント６０の幅内を主として幅外を含んでも良い。
【００４８】
さらに、裏蓋７０の裏蓋固定部７１のうち、３時方向及び９時方向の一部が削除されているために（図中、二点鎖線及び符合７４で示す）、ムーブメントの全周にわたってムーブメント固定部が形成される前述の従来技術に比べ、時計の３時−９時方向の幅を細くすることができる。
【００４９】
このような構造によって、３時方向及び９時方向の胴内形部５１Ａ，５１Ｂは、ムーブメント６０の端部に接する位置まで近づけることができ、幅狭の専用ムーブメントを新たに開発しなくても、縦長で３時−９時方向の幅が狭いすっきりしたデザインの時計を提供することができる。
【００５０】
図７は本実施形態の時計１０と従来の時計１００との比較例を示す。なお、この図においては、説明の便宜上、文字板を省略して示すと共に、略同様の構成については同一の符号を付して示し、また、従来の時計１００において、時計体を符号１２０を付して示し、中枠を符号１６０を付して示している。
同図に示すように、本実施形態の時計１０の時計体２０は、ムーブメント６０の３時−９時方向両側に中枠が存在しないため、その幅Ｌ１を、従来の時計１００の時計体１２０の幅Ｌ２に比して小さくできることが明らかである。具体的には、従来の時計１００の幅Ｌ２が１３．０ｍｍの場合、同一のムーブメント６０を用いても本実施形態の時計１０は、その幅Ｌ１を１１．３ｍｍにすることができ、従来のものに比して約１．７ｍｍも幅狭にでき、言い換えれば、１０％以上幅狭にすることができた。
このため、従来、バンド３０は細くできたが、それとバランスのとれた細いケース（時計体２０に相当）を実現できずにいたのに対し、当構造により細いケースとバンドの組み合わせによるブレスレットタイプの時計のデザインが可能となった。
【００５１】
また、第１の中枠９０と第２の中枠９５は、それぞれがムーブメント６０の平面方向及び断面方向を保持しているために、第１の中枠９０と第２の中枠９５に分離する構造であっても、ムーブメント６０の保持を確実に行うことができ、時計外部からの衝撃力に対して確実にムーブメント６０を保護することができる。
しかも、第１の中枠９０と第２の中枠９５には、当該中枠９０，９５の胴内形部５１Ａ〜５１Ｄの壁面に当接する固定凸部９２Ａ〜９２Ｄがムーブメント案内部９１の近傍に設けられるので、ムーブメント６０近傍で上記固定凸部９２Ａ〜９２Ｄにより当該中枠９０，９５の胴５０に対する移動を規制でき、各中枠９０，９５のがたつきを確実に抑えてムーブメント６０のがたつきをより確実に抑えることができる。
【００５２】
また、第１の中枠と第２の中枠とに分離された構造であっても、ムーブメント６０の回転止め部としてのムーブメント回転止め部９１Ａ、９５Ａを設けているために、縦長の小型ムーブメントにおいても、あるいは円形の小型ムーブメントにおいても、ムーブメント６０が平面方向に回転されることを防止し、３時−９時方向の幅が狭いデザインを実現すると共に、確実にムーブメントの保持を行うことができる。
【００５３】
また、実施形態１は、ばね中枠と呼称されるムーブメントを中枠の弾性を用いて固定する構造であるため、胴５０、裏蓋７０等の寸法のばらつきを吸収することができ、ムーブメントの保持の信頼性が高まるというような効果もある。
また、中枠を２体にしたので、一体型の中枠を用いる場合に比して、中枠を小型化でき、成形時のそりの発生が抑制され、製造し易く部品の寸法管理が容易となると共に、中枠全体がムーブメント６０に密着し易く、がたつきをより抑制することができる。
また、裏蓋７０には、裏蓋７０の３時及び９時側には裏蓋固定部７１がないため、残りの裏蓋固定部７１にばね性が生じ、裏蓋７０の着脱品質が向上すると共に、この構成では巻真位置には裏蓋固定部７１が存在しないため、裏蓋７０の巻真逃げサライ加工が不要になるといった効果を奏する。
（実施形態２）
【００５４】
続いて、本発明に係る実施形態２について図面を参照して説明する。実施形態２は、前述した実施形態１の技術思想を基本とし、前述したばね中枠の形状を単純化したことに特徴を有している。実施形態１と同じ機能部材には同じ符号を附し説明する。
図８は、実施形態２に係る時計のムーブメント保持構造を示す部分断面図である。図８では、６時方向のムーブメント保持構造を例示し説明する。図８において、第１の中枠１９０には、ムーブメント６０のムーブメント固定部６１Ａに当接するムーブメント案内部１９１Ａと、鍔状に張り出した外形部１９２と、外形部１９２から突設された固定凸部１９６が設けられている。固定凸部１９６は、前述した実施形態１（図４参照）に示す固定凸部９２Ｃ，９２Ｄに相当する。
【００５５】
ムーブメント６０は、前述した実施形態１と同様に、第１の中枠１９０と図示しない第２の中枠とで胴５０内において平面方向に移動しないように保持される。
【００５６】
また、断面方向におけるムーブメント６０の保持は、ムーブメント６０のムーブメント固定面６３を、第１の中枠１９０の外形部１９２を裏蓋７０に設けられた裏蓋固定部７１によって押圧することで可能となる。ここで、第１の中枠１９０には、実施形態１（図５参照）のような緩衝孔９４Ｃや固定用凸部９４Ａはなく、外形部１９２を裏蓋７０で押圧してムーブメント６０を保持するところに特徴を有している。
【００５７】
図示しない第２の中枠も同様な形状を有しており、６時方向と同様な構造でムーブメント６０を保持している。なお、このような中枠の構造であっても、実施形態１（図５参照）と同様な構造でパッキン８０を備えることができる。
【００５８】
従って、前述した実施形態１（図３，４、参照）では、緩衝孔９４Ｃを設けることによって、射出成形金型はスライドコア形式になるため、型構造が複雑になることが考えられるが、実施形態２によれば、実施形態１の効果に加えて、第１の中枠１９０（図示しない第２の中枠も含む）は、単純な上下型開き構造の射出成形金型でよいため、コストの低減が可能である。
（実施形態３）
【００５９】
続いて、本発明に係る実施形態３について図面を参照して説明する。実施形態３は、前述の実施形態１及び実施形態２に比べ、裏蓋７０の胴５０への固定構造を螺子固定構造にしたことに特徴を有している。第１の中枠、第２の中枠については、実施形態１（図２〜図６参照）と同じであるため説明を省略し、同じ機能部材には同じ符号を付して説明する。
図９は、実施形態３に係る時計のムーブメント保持構造を示す部分断面図である。図９は、本実施形態を代表して６時方向のムーブメント保持構造を例示している。図９において、胴５０には、裏蓋方向から雌螺子５６が螺設されている。
【００６０】
雌螺子５６は、胴５０の四方の隅部に４本設けられている。裏蓋７０は、ほぼ平板の略長方形であり（図３も参照）、前述の雌螺子５６に対応した位置に螺子孔７７が開設されている。また、この螺子孔７７の内側には、胴内形部５１Ａ〜５１Ｄに沿って全周にわたってパッキン溝７６が設けられ、このパッキン溝７６に、断面形状が円形または蒲鉾形のパッキン８０が装着されている。第１の中枠９０と図示しない第２の中枠は、前述した実施形態１（図２〜図６参照）と同じ構造で形成されている。
なお、パッキン装着溝は、胴５０側に設けることもできる。
【００６１】
裏蓋７０は、胴５０に４本の固定螺子９８によって螺合固定される。この際に、裏蓋７０の内側主面７２によって第１の中枠９０を断面方向に押圧し、ムーブメント６０を保持すると共に、パッキン８０を押圧して、時計の防水性を確保している。
【００６２】
従って、前述した実施形態３によれば、裏蓋７０がほぼ平板で形成することができるため、構造が簡単となり、また製造しやすくなるためコストの低減が可能である。
【００６３】
また、裏蓋７０と胴５０との固定が螺子螺合によって行われているので、固定力が高く、３時−９時の幅が狭い小型な時計体であっても、固定力を高くすることができ、ムーブメント６０の保持をより確実に行うことができる。
【００６４】
さらに、パッキン８０は、裏蓋７０に形成されるパッキン溝７６に装着するために、パッキンの平面方向の位置ずれが発生しにくいので、より一層防水性能を高めることができる。
【００６５】
なお、前述の実施形態１〜実施形態３では、第２方向としての３時−９時方向の幅を第１方向としての１２時−６時方向の長さを小さくする形態を例示して説明したが、１２時−６時方向の幅を３時−９時方向の幅を小さくすることもできる。この場合、前述した実施形態１〜実施形態３で示した構造を９０度回転することで実現できるため、説明を省略する。
【００６６】
なお、本発明は前述の実施形態に限定されるものではなく、本発明の目的を達成できる範囲での変形、改良等は本発明に含まれるものである。
例えば、前述の実施形態１及び実施形態２では、中枠を第１の中枠９０と第２の中枠９５とに分離しているが、第１の中枠９０と第２の中枠９５を３時方向及び９時方向で連続して一体化することも可能である。
【００６７】
このようにすれば、仮に第１の中枠９０と第２の中枠９５との３時方向及び９時方向の連続部分の幅を０．２ｍｍ程度にすれば、射出成形が可能であり、前述の実施形態に比べれば、３時−９時方向の幅が０．２ｍｍ程度広くなるが、一度の射出成形で中枠を製造できると共に、一体化されていることで、時計体への組み込みがし易くなるという効果がある。
【００６８】
さらに、裏蓋７０についても、裏蓋７０に形成される裏蓋固定部７１が３時方向、９時方向において分離されている構造を採用しているが、３時方向及び９時方向を連続する構造を採用することができる。
【００６９】
このような構造の場合、図示しないが、ムーブメント６０の３時方向及び９時方向端部を、裏蓋７０の裏蓋固定部７１の幅、高さの分だけ除肉しておけば、３時−９時方向の幅を大きくしない時計体２０を提供することができる。また、このようにすれば、裏蓋７０の全周にわたって裏蓋固定部７１が形成されるので、裏蓋７０の補強ともなり、変形しにくくなるので、ムーブメント６０の保持をより確実に行える他、防水性能の向上にも寄与する。
【００７０】
従って、前述の実施形態１〜実施形態３によれば、３時−９時方向の幅が小さい縦長のすっきりしたデザインを低コストで実現する時計のムーブメント保持構造および時計を提供することができる。
さらに、第１方向（１２時−６時方向）の幅を小さくし、第２の方向（３時−９時方向）の幅を大きく構成することによって、１２時−６時方向の幅が小さい横長のすっきりしたデザインの時計を提供することができる。
【図面の簡単な説明】
【００７１】
【図１】本発明に係る時計の外観を示す斜視図。
【図２】本発明の実施形態１に係る時計体の分解斜視図。
【図３】ムーブメント、第１の中枠、第２の中枠および裏蓋の拡大斜視図。
【図４】時計体の構造を示す平面図。
【図５】（ａ）は、時計のムーブメント保持構造を示す部分断面図、（ｂ）は、図４の矢印Ａ方向から視認した第１の中枠のムーブメント固定部を示す部分断面図。
【図６】時計体の３時方向の構造を示す部分断面図。
【図７】本発明に係る時計と従来の時計との比較例を示す図。
【図８】本発明の実施形態２に係る時計のムーブメント保持構造を示す部分断面図。
【図９】本発明の実施形態３に係る時計のムーブメント保持構造を示す部分断面図。
【符号の説明】
【００７２】
１０…時計、２０…時計体、５０…胴、５１Ａ〜５１Ｄ…胴内形部、６０…ムーブメント、７０…裏蓋、９０…第１の中枠、９５…第２の中枠、７１…裏蓋固定部、７２…裏蓋の内側主面。
【図１】
2006234792.tif 000003
【図２】
2006234792.tif 000004
【図３】
2006234792.tif 000005
【図４】
2006234792.tif 000006
【図５】
2006234792.tif 000007
【図６】
2006234792.tif 000008
【図７】
2006234792.tif 000009
【図８】
2006234792.tif 000010
【図９】
2006234792.tif 000011